(57)【要約】【課題】  据付作業効率の向上が図られたエレベーターの据付装置、及びその据付作業装置の組立方法を提供する。【解決手段】  昇降路内を昇降する据付作業用かごと、据付作業用かごを挟むように設けられ、据付作業用かごを昇降路内で昇降させる一対のロープとを有する。また、ロープを駆動する駆動装置と、据付作業用かごの上面側において一対のロープ間に配置され、一対のロープに固定された防護天井パネルとを有する。【選択図】図２
2018122975.tif 000002
【特許請求の範囲】
【請求項１】
昇降路内を昇降する据付作業用かごと、
前記据付作業用かごのかご床を挟むように設けられ、前記据付作業用かごを昇降路内で昇降させる一対のロープと、
前記ロープを駆動する駆動装置と、
前記据付作業用かごの前記かご床の上方側において前記一対のロープ間に配置され、前記一対のロープに固定された防護天井パネルと
を有するエレベーターの据付装置。
【請求項２】
一端が前記ロープに固定され、他端が前記防護天井パネルに固定された筋交部と、
前記筋交部を前記ロープに固定する筋交側固定部と
を有する
請求項１に記載のエレベーターの据付装置。
【請求項３】
前記防護天井パネルの前記ロープが配設される側の側面には、前記防護天井パネルを前記ロープに固定するパネル側固定部が設けられている
請求項１又は２に記載のエレベーターの据付装置。
【請求項４】
昇降路内を昇降する据付作業用かごを昇降路内に配置し、
前記据付作業用かごを挟むように一対のロープを前記据付作業用かごに連結し、
前記据付作業用かごの上面側において前記一対のロープ間に、防護天井パネルを配置すると共に、前記ロープに前記防護天井パネルを固定する
据付装置の組立方法。
【発明の詳細な説明】
【技術分野】
【０００１】
本発明は、エレベーターの据付装置に関し、特に、防護天井を有するエレベーターの据付装置に関する。また、その据付装置の組立方法に関する。
【背景技術】
【０００２】
従来のエレベーターの据付作業では、昇降路に、かご床と手すりとを有する据付作業用かごを設け、据付作業用かごに乗った作業者が、そのかご床を足場として昇降路内の機器の据付作業を行っている（特許文献１参照）。据付作業用かごは、昇降路頂部に設けた揚重機に駆動される揚重ロープに固定されており、揚重機を駆動することで据付作業用かごが昇降路内を昇降する（特許文献１参照）。
【先行技術文献】
【特許文献】
【０００３】
【特許文献１】特開２００５−１６２４１６号公報
【発明の概要】
【発明が解決しようとする課題】
【０００４】
ところで、従来のエレベーターの据付装置では、据付作業時に上方から落下物が有った場合に、据付作業用かごで作業している作業者をその落下物から保護するため、かご床の作業者が乗車するスペースよりも上側に防護天井が設けられている。従来のエレベーターの据付装置では、安全用の手すりに防護天井用の支柱を取り付け、その支柱にパネル状の防護天井を取り付けることで、防護天井をかご床の上面側に設置している。
【０００５】
このように、従来のエレベーターの据付装置では、据付作業床の防護天井を設置するために、防護天井を支持する支柱を設ける必要がある。一方、作業者が、据付作業用かごのかご床を足場として昇降路内に機器を据え付けていく際、防護天井を支持するための支柱は、作業者にとって据付作業の障害となり、作業効率を低下させる不具合がある。
【０００６】
また、手すりに固定した支柱に防護天井を支持させる場合、防護天井の高さ位置は一定に固定されるため、かご床上に載置して運搬する運搬物の長さに応じて防護天井の高さを調整することはできず、作業効率を低下させる一つの要因となっていた。
【０００７】
そこで、本発明の目的は、据付作業効率の向上が図られたエレベーターの据付装置、及びその据付作業装置の組立方法を提供することにある。
【課題を解決するための手段】
【０００８】
上記課題を解決し、本発明の目的を達成するため、本発明のエレベーターの据付装置は、昇降路内を昇降する据付作業用かごと、据付作業用かごを挟むように設けられ、据付作業用かごを昇降路内で昇降させる一対のロープとを有する。また、ロープを駆動する駆動装置と、据付作業用かごの上面側において一対のロープ間に配置され、一対のロープに固定された防護天井パネルとを有する。
【０００９】
また、本発明の据付装置の組立方法は、昇降路内を昇降する据付作業用かごを昇降路内に配置し、据付作業用かごを挟むように一対のロープを据付作業用かごに連結する。また、据付作業用かごの上面側において一対のロープ間に、防護天井パネルを配置すると共に、ロープに防護天井パネルを固定する。
【発明の効果】
【００１０】
本発明によれば、据付作業時における作業効率の向上が図られる。
【図面の簡単な説明】
【００１１】
【図１】本発明の一実施形態に係るエレベーターの据付装置の全体構成を示す概略構成図である。
【図２】本発明の一実施形態に係るエレベーターの据付装置における据付作業用かごを側面から見た概略構成図である。
【図３】本発明の一実施形態に係るエレベーターの据付装置における防護天井を上面から見た概略構成図である。
【図４】パネル側固定部を分解して示した概略構成図である。
【図５】筋交側固定部を図２の矢印Ａで示す方向から見た図である。
【図６】筋交側固定部を分解して示した概略構成図である。
【図７】比較例に係るエレベーターの据付装置の概略構成図である。
【発明を実施するための形態】
【００１２】
以下、本発明の一実施形態（以下、本実施形態）に係るエレベーターの据付装置の一例を、図面を参照しながら説明する。なお、本発明は以下の例に限定されるものではない。なお、各図において、共通の部材には同一の符号を付している。また、本実施形態は、以下の順で説明する。
１．エレベーターの据付装置の全体構成
２．防護天井の構成
３．据付装置の組立方法
４．比較例に係るエレベーターの据付装置の構成
【００１３】
１．エレベーターの据付装置の全体構成
本実施形態に係るエレベーターの据付装置は、エレベーターのガイドレールや、出入り口付近の装置等の据付に用いられるものである。図１は、本実施形態に係るエレベーターの据付装置１の全体構成を示す概略構成図である。
【００１４】
エレベーターの据付装置１は、一般的には、図１に示すように、昇降路底部に、ガイドレール３の受け部となるピットベース２を配置し、ピットベース２上に最下段のガイドレール３を立設させた後に組み立てられる。ピットベース２は、板状部材で構成されており、ガイドレール３の位置決めなどに用いられる。また、ピットベース２上における後述する据付作業用かご５の真下には、据付作業用かご５が昇降路の最下部まで落下したときの衝撃を緩和するための緩衝器４が配置されている。
【００１５】
ガイドレール３は、後述する据付作業用かご５や本設の乗りかごの昇降をガイドする断面がＴ字形状の部材であり、ピットベース２上の、後述する据付作業用かご５が昇降する空間を挟んで対向する所定の位置に立設されている。ガイドレール３は昇降路の高さに応じて複数段に分けて設置されるものであり、それぞれのガイドレール３はレールブラケット３ａにより昇降路の内壁面に固定されている。エレベーターの据付装置１を構成する据付作業用かご５を組み立てる前段階では、ピットベース２上に最下段のガイドレール３が立設され、２段目以降のガイドレール３は、据付装置１の据付作業用かご５に乗車した作業者によって取り付けられていく。図１では、据付装置１の図示を明確にするため、ガイドレール３を一部切断して図示している。
【００１６】
以下に、本実施形態に係るエレベーターの据付装置１について説明する。本実施形態に係るエレベーターの据付装置１は、据付作業用かご５と、ロープ６と、防護天井１２と、揚重機７と、操縦機１３と、電源部８とを有する。
【００１７】
［据付作業用かご］
図２は、本実施形態のエレベーターの据付装置１における据付作業用かご５を側面から見た図である。据付作業用かご５は、エレベーターの据付作業時に作業者を乗車させて昇降路内を昇降するものであり、かご床９と、手すり部１０と、縦枠１１とを備える。据付作業用かご５は、本設のエレベーターの乗りかごに用いられるかご枠を用いてもよいが、据付作業用に本設とは別部材で構成される仮設のかご枠を用いてもよい。
【００１８】
かご床９は、エレベーターの据付作業時に作業者の足場となる部材であり、作業者を乗車させることができる板状部材で構成されている。手すり部１０は、かご床９を足場として作業する作業者の安全を確保するために取り付けられるものであり、かご床９上面側の作業スペースを囲むように設けられている。また、手すり部１０は、かご床９を足場として作業する作業者の据付作業を妨げない高さに設けられている。
【００１９】
手すり部１０は、図２に示すように、かご床９の床面に対して水平方向に延在する横枠１０ａと、かご床９の床面に対して垂直方向に延在し、横枠１０ａを支持する縦支持枠１０ｂとで構成されている。横枠１０ａは、かご床９の床面から高さ方向に複数本（図２では３本）設けられており、縦支持枠１０ｂ及び後述する縦枠１１に固定されることで、かご床９の周囲に固定されている。
【００２０】
縦支持枠１０ｂは、かご床９を囲むように複数本設けられており、かご床９の床面に対して垂直方向に隣り合う複数本（図２では３本）の横枠１０ａ間に梁状に配置され、それぞれの横枠１０ａを支持している。なお、本実施形態では、手すり部１０は、かご床９上の作業スペースを囲む全周に設けられているが、一部にのみ設ける構成としてもよく、例えば、乗り場の出入り口を除くように平面からみてコの字状に設けてもよい。
【００２１】
縦枠１１は、かご床９の床面に対して垂直方向に延在する部材で構成されており、かご床９の両側面のガイドレール３に向かい合うそれぞれの位置に設けられている。縦枠１１は、例えば、かご床９から、手すり部１０に達する程度の高さに構成されており、かご床９に固定されると共に、横枠１０ａを支持固定している。
【００２２】
また、図示を省略するが、縦枠１１の昇降方向における上下端部には、ガイドレール３に係合するガイド部材が設けられている。ガイド部材のガイドレール３に向かい合う面には、ガイドレール３を案内するガイド溝（図示を省略する）が設けられている。本実施形態では、据付作業用かご５の昇降時に、縦枠１１に設けられたガイド部材のガイド溝にガイドレール３が係合することで、据付作業用かご５は安定して昇降路内を昇降する。
【００２３】
さらに、かご床９を挟んで配置されるそれぞれの縦枠１１には、据付作業用かご５を昇降させるためのロープ６を連結する連結板１５が取り付けられている。連結板１５は、ロープ６が連結される連結孔１５ａを備える板状部材で構成されており、縦枠１１の所定の高さに固定されると共に、連結孔１５ａがガイドレール３と縦枠１１に設けられたガイド部材のガイド溝とが係合する位置から、横枠１０ａの延在方向に沿う方向にずれるように固定されている。これにより、ロープ６の位置が、ガイドレール３と縦枠１１に設けられたガイド部材のガイド溝とが係合する位置に重ならない。
【００２４】
［ロープ］
ロープ６は、据付作業用かご５を吊り下げ可能な材料で構成されており、例えばステンレスのワイヤーで構成されている。ロープ６は、一対の縦枠１１に設けられた連結板１５にそれぞれに１本ずつ連結されることで据付作業用かご５を吊り下げる。それぞれのロープ６の一端には、連結板１５の連結孔１５ａに取り付けることのできる連結部１６が設けられており、ロープ６はその連結部１６が連結板１５の連結孔１５ａに連結されることで据付作業用かご５に取り付けられる。また、それぞれのロープ６の他端は、それぞれのロープ６に対応して設けられた揚重機７に巻き取られている。
【００２５】
なお、本実施形態では、一対のロープ６のかご床９側の一端は、それぞれ縦枠１１に設けられた連結板１５に取り付けられる例としたが、この構成に限られるものではない。一対のロープ６は、それぞれ据付作業用かご５を昇降可能に取り付けられればよく、かご床９を挟む位置で、据付作業用かご５を構成するいずれかの部材に取り付けられていればよい。
【００２６】
［防護天井］
防護天井１２は、かご床９の上面側において、作業者が作業可能なスペースを空けてかご床９に対向する位置に配置され、少なくとも、手すり部１０よりも上方側に配置されている。また、防護天井１２は、縦枠１１に固定された連結板１５に連結された一対のロープ６間に配置され、それぞれのロープ６に固定されている。防護天井１２は、昇降路の上部から落下してくる落下物があった場合に、落下物から作業者を保護するめに設けられるものである。防護天井１２の構成については、後で詳述する。
【００２７】
［揚重機］
揚重機（本発明の駆動装置）７は、据付作業用かご５に連結されたロープ６の吊り上げ吊り下げを行うものであり、それぞれのロープ６に対応して一ずつ設けられている。揚重機７は、ローププーリ７ａを介して昇降路頂部の吊りビーム１８にそれぞれ固定されている。揚重機７は、後述する電源部８に電気的に接続されており、後述する操縦機１３による操縦に従って、ロープ６の吊り上げ及び吊り下げを行う。これにより、据付作業用かご５が昇降路内を昇降する。また、本実施形態では、防護天井１２も一対のロープ６に固定されているため、ロープ６の吊り上げ及び吊り下げに連動して昇降路内を昇降する。
【００２８】
［操縦機］
操縦機１３は、据付作業用かご５の昇降を操縦するための機器であり、かご床９に乗車した作業者が操縦可能な位置に配置されている。操縦機１３は、配線ケーブル１９を介して電源部８に電気的に接続されており、電源部８から電力が供給されている。作業者による操縦機１３の操縦に連動して揚重機７が駆動制御され、据付作業用かご５の昇降が行われる。
【００２９】
［電源部］
電源部８は、昇降路の頂部に設けられており、所望の配線ケーブル１９を介して揚重機７、操縦機１３などに電力を供給する。
【００３０】
２．防護天井の構成
次に、本実施形態のエレベーターの据付装置１における防護天井１２の構成について詳述する。図２に示すように、本実施形態の防護天井１２は、防護天井パネル３０と、パネル側固定部２１と、筋交部２２と、筋交側固定部２０とを有する。図３は、本実施形態のエレベーターの据付装置１における防護天井１２を上面から見た図である。図３において図２に対応する部分には同一符号を付し、重複説明を省略する。
【００３１】
［防護天井パネル］
防護天井パネル３０は、それぞれ矩形状に形成された第１パネル部２７と第２パネル部２８とで構成されている。第１パネル部２７は、網状部材で構成された矩形状のパネル本体２７ａと、そのパネル本体２７ａの外周部を囲むようにパネル本体２７ａに固定された枠体２７ｂとで構成されている。第２パネル部２８は、第１パネル部２７と同様に、網状部材で構成された矩形状のパネル本体２８ａと、そのパネル本体２８ａの外周部を囲むようにパネル本体２８ａに固定された枠体２８ｂとで構成されている。
【００３２】
それぞれのパネル本体２７ａ、２８ａは、例えばパンチングメタルで構成されている。パネル本体２７ａ、２８ａは、昇降路の上部から落下してくる落下物の衝撃に耐え得る材料であれば種々の選択が可能であり、鉄などの金属部材の他、例えばポリカーボネートなどで構成することもできる。
【００３３】
また、それぞれの枠体２７ｂ、２８ｂは、パネル本体２７ａ、２７ｂの強度を高めると共に、各部材をボルト締結するために設けられており、それぞれの枠体２７ｂ、２８ｂには必要に応じてボルト孔が設けられている。第１パネル部２７と第２パネル部２８とは、一対のロープ６に挟まれる方向と直交する方向に並べて配置され、第１パネル部２７の枠体２７ｂと第２パネル部２８の枠体２８ｂとがボルト３１及びナット３３により複数箇所（図３では２箇所）で固定されている。
【００３４】
［パネル側固定部］
パネル側固定部２１は、図３に示すように、第１パネル部２７をロープ６に固定するための部材であり、第１パネル部２７の枠体２７ｂにおいて、ロープ６が配置される側の両側面に設けられている。図４は、パネル側固定部２１を分解して示した概略構成図である。パネル側固定部２１は、第１把持片３５と第２把持片３４とで構成されている。第１把持片３５は、一方の面にロープ６を保持する溝部３５ａを有する板状部材で構成されており、例えばアルミニウムで構成することができる。第１把持片３５は、溝部３５ａが設けられていない側が第１パネル部２７の枠体２７ｂに接するように配置され、その両端部の２箇所においてそれぞれボルト４０、４１とナット４２、４３で枠体２７ｂに固定されている。
【００３５】
第２把持片３４は、枠体２７ｂの延在方向に沿う方向における長さが、第１把持片３５のその長さよりも短く、第１把持片３５を枠体２７ｂに固定している２つのボルト４０、４１の間に収まる長さの板状部材で構成されている。また、第２把持片３４は、第１把持片３５と同様、アルミニウムで構成することができる。さらに、第２把持片３４においても、第１把持片３５と同様、一方の面にロープ６を保持する溝部３４ａが設けられる。
【００３６】
第２把持片３４は、その溝部３４ａが形成されている面が第１把持片３５の溝部３５ａが形成されている面に向かい合うように配置され、それぞれの溝部３５ａ、３４ａ合わさって形成される孔にロープ６を保持して互いに固定される。ここで、第１把持片３５と第２把持片３４のそれぞれの溝部３５ａ、３４ａが合わさって構成される孔は、ロープ６の径よりも若干小さくなるように、それぞれの溝部３５a、３４aが形成されている。
【００３７】
第１把持片３５と第２把持片３４とは、ロープ６を挟む２箇所において、それぞれ、第１固定部材３０及び第２固定部材３２で固定される。第１固定部材３０は、第１把持片３５及び第２把持片３４を貫通するボルト３７と、このボルト３７に螺合して固定されるナット３９とで構成されている。第２固定部材３１は、第１把持片３５及び第２把持片３４を貫通するボルト３６と、このボルト３６に螺合して固定されるナット３８とで構成されている。
【００３８】
パネル側固定部２１では、第１把持片３５の溝部３５ａと第２把持片３４の溝部３４ａで構成される孔にロープ６を保持するようにして、第１把持片３５と第２把持片３４とを第１固定部材３０及び第２固定部材３２で固定する。これにより、パネル側固定部２１において、ロープ６が第１把持片３５と第２把持片３４で挟圧保持される。そして、本実施形態では、第１把持片３５及び第２把持片３４のそれぞれの溝部３５ａ、３４ａによって構成される孔がロープ６の径よりも小さく形成されている。これにより、第１把持片３５と第２把持片３４とでロープ６を圧迫して挟持する力を大きくすることができ、第１パネル部２７のロープ６への固定をより強固にすることができる。
【００３９】
また、本実施形態では、第１把持片３５と第２把持片３４とを、ロープ６を構成するステンレスよりも柔らかい材料であるアルミニウムで構成している。これにより、第１把持片３５と第２把持片３４とでロープ６を挟圧保持する際、第１把持片３５と第２把持片３４とが、ステンレスで構成されるロープ６を傷つけるのを防ぐことができる。なお、本実施形態では、第１把持片３５及び第２把持片３４をアルミニウムで構成する例としたが、第１把持片３５及び第２把持片３４に使用可能な材料はこれに限られるものではなく、その他の金属部材、または、金属以外の部材を用いてもよい。
【００４０】
［筋交部］
筋交部２２は、防護天井パネル３０とロープ６との間に斜めに設けられる梁状部材であり、第１パネル部２７とロープ６との間に設けられる第１筋交２２ａと、第２パネル部２８とロープ６との間に設けられる第２筋交２２ｂとで構成されている。これらの、第１筋交２２ａ及び第２筋交２２ｂは、それぞれ、細長い板状部材で構成されている。また、この筋交部２２は、防護天井パネル３０を固定する２本のロープ６のそれぞれに設けられており、本実施形態では、防護天井パネル３０に対して対称的に設けられている。
【００４１】
第１筋交２２ａは、その一端が第１パネル部２７の枠体２７ｂにボルト２５で固定されており、その他端が後述する筋交側固定部２０に固定されている。また、第２筋交２２ｂは、その一端が第２パネル部２８の枠体２８ｂにボルト２６で固定されており、その他端が後述する筋交側固定部２０に固定されている。
【００４２】
また、防護天井パネル３０側における第１筋交２２ａ及び第２筋交２２ｂの距離が、筋交側固定部２０側における第１筋交２２ａ及び第２筋交２２ｂの距離よりも大きくなるように、第１筋交２２ａ及び第２筋交２２ｂはロープ６の延在方向に対して斜めに配置されている。
【００４３】
図２では、第１筋交２２ａ及び第２筋交２２ｂは、ロープ６の延在方向に対して対称的に設けられているが、第１筋交２２ａ及び第２筋交２２ｂのそれぞれの枠体２７ｂ、２８ｂへの固定位置はこれに限られるものではない。防護天井パネル３０のパネル面をかご床９の床面に対して平行に保持できるように、第１パネル部２７及び第２パネル部２８の重量や、防護天井パネル３０のロープ６への固定位置などに応じて、随時変更することができる。すなわち、第１筋交２２ａ及び第２筋交２２ｂのうち、一方の筋交を他方の筋交よりも長く構成してもよい。
【００４４】
［筋交側固定部］
筋交側固定部２０は、筋交部２２をロープ６に固定するための部材であり、一対のロープ６のそれぞれに設けられ、防護天井パネル３０と据付作業用かご５の横枠１０ａとの間に設けられている。図５は、筋交側固定部２０を図２の矢印Ａで示す方向から見た図であり、図６は、筋交側固定部２０を分解して示した概略構成図である。図５及び図６に示すように、筋交側固定部２０は、第１把持片４４と第２把持片４５とで構成されている。
【００４５】
第１把持片４４は、一方の面にロープ６を保持する溝部４４aを有する板状部材で構成されており、例えばアルミニウムで構成することができる。第２把持片４５は、第１把持片４４と同様、一方の面にロープ６を保持する溝部４５aを有する板状部材で構成されており、例えばアルミニウムで構成することができる。この第１把持片４４及び第２把持片４５は、同形状に形成されており、それぞれの溝部４４a、４５aが形成されている面が向かい合うように配置され、それぞれの溝部４４a、４５aが合わさって形成される孔にロープ６を保持して互いに固定される。ここで、第１把持片４４と第２把持片４５のそれぞれの溝部４４a、４５aが合わさって構成される孔は、ロープ６の径よりも若干小さくなるように、それぞれの溝部４４a、４５aが形成されている。
【００４６】
第１把持片４４と第２把持片４５とは、ロープ６を挟む２箇所において、それぞれ、第１固定部材５０及び第２固定部材５１で固定される。第１固定部材５０は、筋交側固定部２０の第１筋交２２ａが固定される側に設けられ、第１把持片４４、第２把持片４５及び第１筋交２２ａを貫通するボルト４７とこのボルト４７に螺合して固定される蝶ナット４９で構成されている。第１固定部材５０は、第１把持片４４、第２把持片４５及び第１筋交２２ａのそれぞれに設けられたボルト孔にボルト４７を挿通して蝶ナット４９で締め付けることにより、筋交側固定部２０に第１筋交２２ａを固定することができる。
【００４７】
一方、第２固定部材５１は、筋交側固定部２０のロープ６が挿通される位置に対して第２筋交２２ｂが固定される側に設けられ、第１把持片４４、第２把持片４５、及び第２筋交２２ｂを貫通するボルト４６とこのボルト４６に螺合して固定される蝶ナット４８で構成されている。第２固定部材５１では、第１把持片４４、第２把持片４５及び第２筋交２２ｂのそれぞれの設けられたボルト孔にボルト４６を挿通し、蝶ナット４８で締め付けることにより、筋交側固定部２０に第２筋交２２ｂを固定することができる。
【００４８】
そして、第１把持片４４と第２把持片４５とが、第１固定部材５０及び第２固定部材５１で固定されることで、筋交側固定部２０において、ロープ６が第１把持片４４と第２把持片４５で挟圧保持される。本実施形態では、第１把持片４４及び第２把持片４５のそれぞれの溝部４４a、４５aによって構成される孔がロープ６の径よりも小さく形成されていることにより、第１把持片４４と第２把持片４５とでロープ６を圧迫して挟持する力を大きくすることができ、筋交側固定部２０のロープ６への固定をより強固にすることができる。そして、本実施形態では、ロープ６に固定された筋交側固定部２０に、第１筋交２２ａ及び第２筋交２２ｂがそれぞれ固定されることで、第１筋交２２ａ及び第２筋交２２ｂがロープ６に固定される。
【００４９】
また、本実施形態では、筋交部２２及び筋交側固定部２０が、防護天井パネル３０を挟んで対称的に設けられている。これにより、防護天井パネル３０を、一対のロープ６間により強固に、かつ、安定した状態で固定することができる。
【００５０】
筋交側固定部２０においても、パネル側固定部２１と同様、第１把持片４４と第２把持片４５とを、ロープ６を構成するステンレスよりも柔らかい材料であるアルミニウムで構成している。これにより、第１把持片４４と第２把持片４５とでロープ６を挟圧保持する際、第１把持片４４と第２把持片４５とが、ステンレスで構成されるロープ６を傷つけるのを防ぐことができる。なお、本実施形態では、第１把持片４４及び第２把持片４５をアルミニウムで構成する例としたが、第１把持片４４及び第２把持片４５に使用可能な材料はこれに限られるものではなく、その他の金属部材、または、金属以外の部材を用いてもよい。
【００５１】
以上のように、本実施形態においては、パネル側固定部２１と筋交側固定部２０とによって防護天井パネル３０がそれぞれのロープ６に固定される。
【００５２】
３．防護天井の取り付け方法
次に、防護天井１２の取り付け方法について説明する。昇降路内に、据付作業用かご５を組み立てた後、まず、筋交側固定部２０を構成する第１把持片４４及び第２把持片４５のそれぞれの溝部４４a、４５aが合わさって形成される孔内にロープ６が配置されるように第１把持片４４と第２把持片４５とを配置する。そして、第１固定部材５０で第１把持片４４、第２把持片４５及び第１筋交２２ａを固定すると共に、第２固定部材５１で第１把持片４４、第２把持片４５、及び第２筋交２２ｂを固定する。
【００５３】
次に、第１パネル部２７を据付作業用かご５の上面側における所望の高さに支持しながら、パネル側固定部２１をロープ６に固定する。パネル側固定部２１のロープ６への固定は、第１把持片３５及び第２把持片３４のそれぞれの溝部３５a、３４aが合わさって形成される孔内にロープ６が配置されるように第１把持片３５と第２把持片３４とを調整し、第１固定部材３０及び第２固定部材３２で固定することで成される。
【００５４】
次に、第２パネル部２８を第１パネル部２７に固定する。その後、筋交部２２を構成する第１筋交２２ａを第１パネル部２７の枠体２７ｂに固定すると共に、第２筋交２２ｂを第２パネル部２８の枠体２８ｂに固定する。これにより、防護天井パネル３０は、パネル側固定部２１及び筋交側固定部２０によってロープ６に固定される。
【００５５】
以上のようにして、防護天井１２は据付作業用かご５の上面側に取り付けられる。本実施形態では、防護天井パネル３０は、パネル側固定部２１と筋交側固定部２０とによってロープ６に固定されているため、パネル側固定部２１及び筋交側固定部２０の固定位置を調整することで、防護天井パネル３０の高さを容易に調整することができる。
【００５６】
４．比較例
図７は、比較例に係るエレベーターの据付装置２００の概略構成図である。比較例に係るエレベーターの据付装置２００では、防護天井１００の構成のみが、本実施形態のエレベーターの据付装置１と異なる。図７において、図１に対応する部分には同一符号を付し、重複説明を省略する。
【００５７】
比較例に係るエレベーターの据付装置２００では、その防護天井１００が、防護天井パネル１０１と、支柱１０２と、筋交部１０３と、筋交固定部１０４とで構成されている。防護天井パネル１０１は、矩形状の板状部材で構成されており、据付作業用かご５の上面側に設けられている。支柱１０２は、防護天井パネル１０１を据付作業用かご５の上面側に支持固定する部材であり、一端が手すり部１０に固定され、他端が防護天井パネル１０１に固定されている。
【００５８】
筋交部１０３は、防護天井パネル１０１と支柱１０２との間に斜めに渡って配置される梁状部材である。筋交固定部１０４は、筋交部１０３を支柱１０２に固定するための部材である。このように、比較例に係るエレベーターの据付装置２００では、防護天井パネル１０１が、手すり部１０に固定された支柱１０２によって支持固定されている。
【００５９】
ところで、据付作業用かご５を足場とした据付作業では、昇降路内におけるガイドレール３の取り付けや、乗り場付近の機器の取り付けなど、据付作業用かご５を足場として、据付作業用かご５よりも外側に対する作業が行われる。したがって、図７に示すように、防護天井パネル１０１と手すり部１０との間に配置される支柱１０２は、据付作業時において障害となり作業効率を低下させてしまう不具合が生じる。
【００６０】
さらに、比較例に係るエレベーターの据付装置２００では、防護天井パネル１０１の高さは、支柱１０２の高さによって一定位置に固体されている。このため、かご床９上に載置して運搬する運搬物の長さに応じて防護天井パネル１０１の高さを調整することはできない。
【００６１】
これに対し、本実施形態のエレベーターの据付装置１における防護天井１２は、防護天井パネル３０をロープ６に固定する構成であるため、比較例のような支柱１０２が不要となる。これにより、据付作業時において障害となる部材が減少するため、作業効率が向上する。
【００６２】
さらに、本実施形態のエレベーターの据付装置１における防護天井１２は、パネル側固定部２１と筋交側固定部２０のロープ６への固定位置を変更するだけで、防護天井パネル３０の高さを調整することができる。パネル側固定部２１及び筋交側固定部２０は、それぞれ、第１把持片と第２把持片とでロープ６を挟み込んでボルトで固定することでロープ６に固定されているため、固定位置の変更はボルトを外して第１把持部及び第２把持部の位置を変更するだけで簡単に行うことができる。したがって、運搬する運搬物に長さに応じて防護天井パネル３０の高さを簡単に調整することができ、作業効率が向上する。
【００６３】
本実施形態では、パネル側固定部２１と筋交側固定部２０とによって防護天井パネル３０がロープ６に固定される例を説明したが、パネル側固定部２１又は筋交側固定部２０のどちらか一方で固定する構成としてもよい。また、本実施形態では、筋交部２２は、１本のロープ６に対して第１筋交２２ａ及び第２筋交２２ｂの２本の筋交を配設する構成としたが、１本でもよく、また、２本以上設けてもよい。さらに、筋交側固定部２０も、筋交部２２を構成する筋交の本数に応じてロープ６の延在方向に２つ以上設けてもよい。
【００６４】
また、本実施形態では、筋交側固定部２０は、防護天井パネル３０と据付作業用かご５との間に設ける構成としたが、筋交側固定部２０は、防護天井パネル３０よりもさらに上面側に設ける構成としてもよい。この場合には、筋交部２２も防護天井パネル３０よりも上面側に配設されるため、防護天井パネル３０と据付作業用かご５との間の作業スペースがさらに広がる。これにより、作業効率をさらに向上することができる。
【００６５】
また、本実施形態では、防護天井パネル３０は、第１パネル部２７と第２パネル部２８とで構成する例としたが、１つの大きなパネルで構成してもよく、２以上の部材で構成してもよい。本実施形態のように、防護天井パネル３０を第１パネル部２７と第２パネル部２８の２つの部材に分けることにより、各部材が小型化及び軽量化されるため、取り付け作業が容易になる。
【００６６】
以上、本発明について、実施形態に基づいて説明したが、本発明は上述の実施形態に記載した構成に限定されるものではなく、その趣旨を逸脱しない範囲において適宜その構成を変更することができるものである。また、上述した実施形態例は、本発明を分かりやすく説明するために詳細に説明したものであり、必ずしも説明した全ての構成を備えるものに限定されるものではない。例えば、実施形態の構成の一部について、他の構成の追加・削除・置換をすることが可能である。
【符号の説明】
【００６７】
１…据付装置、２…ピットベース、３…ガイドレール、５…据付作業用かご、６…ロープ、７…揚重機、８…電源部、９…かご床、１０…手すり部、１１…縦枠、１２…防護天井、１３…操縦機、１５…連結板、１６…連結部、２０…筋交側固定部、２１…パネル側固定部、２２…筋交部、２２ａ…第１筋交、２２ｂ…第２筋交、２７…第１パネル部、２７ａ…パネル本体、２７ｂ…枠体、２８…第２パネル部、２８ａ…パネル本体、２８ｂ…枠体、３０…防護天井パネル、５０…第１固定部材、５１…第２固定部材、１００…防護天井、１０１…防護天井パネル、１０２…支柱、１０３…筋交部、１０４…筋交固定部、２００…据付装置
【図１】
2018122975.tif 000003
【図２】
2018122975.tif 000004
【図３】
2018122975.tif 000005
【図４】
2018122975.tif 000006
【図５】
2018122975.tif 000007
【図６】
2018122975.tif 000008
【図７】
2018122975.tif 000009